(57)【要約】【課題】前面枠の開閉動作を円滑に行なうことができると共に前面枠の建て付けが良好であるパチンコ機を提供すること。【解決手段】縦長の矩形状に形成された外枠１の前面の一側部に前面枠５を開閉自在に取り付け、前面枠５を閉じた状態にてその下端面５ｃが外枠の前面下部に張設された腰板２の上端面２ａの直上に配置されるように構成されたパチンコ機ｐにおいて、横長形状のローラー２８が前後方向に転動自由に設けられた支持具２０を腰板２に取り付け、その支持具２０に対応する滑り片３５を前面枠５の下端部に設け、前面枠５の開閉時に、その滑り片３５を支持具のローラー２８に接触移動させて前面枠５の重量の一部を支持具２０により支承させるように構成した。【選択図】  図６
2004305630.tif 000002
【特許請求の範囲】
【請求項１】
縦長の矩形状に形成された外枠の前面の一側部に前面枠を開閉自在に取り付け、その前面枠を閉じた状態にて当該前面枠の下端面が外枠の前面下部に張設された腰板の上端面の直上に配置されるように構成されたパチンコ機において、
横長形状のローラーが前後方向に転動自由に設けられた支持具を前記腰板に取り付け、その支持具に対応する滑り片を前記前面枠の下端部に設け、前面枠の開閉時に、その滑り片を前記支持具のローラーに接触移動させて当該前面枠の重量の一部を該支持具に支承させるように構成したことを特徴とするパチンコ機。
【請求項２】
前記支持具のローラーの転動面が、前側から後側に向かって高くなるように上り傾斜形状に設けられ、他方、前記滑り片の該ローラーに対応する接触面を、その転動面に合わせて傾斜形状に設けたことを特徴とする請求項１に記載のパチンコ機。
【発明の詳細な説明】
【０００１】
【発明の属する技術分野】
本発明は、外枠に取り付けられた前面枠の開閉動作を円滑に行うことができるパチンコ機に関する。
【０００２】
【従来の技術】
一般的なパチンコ機では、縦長の矩形状外枠の前面の左側部に前面枠を開閉自在に取り付け、その前面枠を閉じた状態にて前面枠の下端面が外枠の前面下部に張設された腰板の上端面の直上に配置されるように構成している。そして、その前面枠の前面側には、ガラス板保持枠、上皿枠、パチンコ球の発射ハンドルを備えた下皿枠とが開閉自在に取り付けられ、その後面側には、遊技盤、球タンク、入賞球処理装置、景品球払い出し装置やこれらを制御する電子回路装置、電気部品等が集約的に取り付けられており、前面枠の全体重量はかなり重くなっている。このため、前面枠の右端側の下端面が下がる状態になりやすく、その下端面が腰板の上端面を圧接する状態となれば、前面枠の開閉動作を行い難くする。
【０００３】
そのような不具合を解消するために、様々な提案がなされている。因みに、本件出願人は、前面枠の下端面と腰板の上端面との間に生ずる圧接状態を緩和するための対策を特開２００１−３１４６１９号公報にて開示している。その公開特許公報には、前面枠の開閉時に当該前面枠の下端面に接触させる球体を回転自由に設けた金具を外枠の腰板に取り付けた構造が記載されている。また、特開２００１−１２９２０５号公報には、前枠が外枠に閉じられる終端側にて、前枠に固定したスライダー装置の可動腕のローラを、腰板に固定したストッパーの隅部に接触させてその隅部を支点とする可動腕のテコ作用により前枠を迫り上げるという構造が開示されている。
【０００４】
【発明が解決しようとする課題】
上述したように、前面枠はかなり重いために右下がりの傾向にあるので、その重量の一部を腰板側にて支承すれば、前面枠の建て付けが良くなると共に前面枠の開閉動作を円滑に行なえると考えられる。そこで、本件出願人は、前記した何れの枠構造とも異なる新たな構造のパチンコ機を開発するに至った。
【０００５】
この発明の目的は、前面枠の開閉動作を円滑に行なうことができると共に前面枠の建て付けが良好であるパチンコ機を提供することにある。
【０００６】
【課題を解決するための手段】
前記目的を達成するために請求項１に記載した発明は、縦長の矩形状に形成された外枠の前面の一側部に前面枠を開閉自在に取り付け、その前面枠を閉じた状態にて当該前面枠の下端面が外枠の前面下部に張設された腰板の上端面の直上に配置されるように構成されたパチンコ機において、横長形状のローラーが前後方向に転動自由に設けられた支持具を前記腰板に取り付け、その支持具に対応する滑り片を前記前面枠の下端部に設け、前面枠の開閉時に、その滑り片を前記支持具のローラーに接触移動させて当該前面枠の重量の一部を該支持具に支承させるように構成したことを特徴とする。
【０００７】
同様の目的を達成するために請求項２に記載した発明は、請求項１に記載のパチンコ機において、前記支持具のローラーの転動面が、前側から後側に向かって高くなるように上り傾斜形状に設けられ、他方、前記滑り片の該ローラーに対応する接触面を、その転動面に合わせて傾斜形状に設けたことを特徴とするものである。
【０００８】
【発明の作用及び効果】
（請求項１の発明）
前面枠を開閉する際に、前面枠の滑り片は、腰板に取り付けられた支持具のローラーに上から接触して移動するので、前面枠の重量の一部がローラーを介して支持具により支承される。また、横長形状のローラーは、その転動面に対して線接触であり面圧が小さくなることから、支持具の摩耗や損傷を生じにくい。
【０００９】
（請求項２の発明）
支持具のローラの転動面は、前側から後側に向かって高くなるように上り傾斜形状に設けられている。これにより、前面枠は閉じられるときに少し迫り上げられて、最終的に外枠の他側部内面に設けられる図示しない公知のロック装置によりその状態にて固定を施される。他方、そのロック装置を解除させて前面枠が開放されるときには、ローラーが下方に転動するので、前面枠は迫り上げられた分だけ下がることになる。
【００１０】
このパチンコ機によれば、前面枠の開閉動作を円滑に行なうことができると共に、前面枠の片下がりを防止できるので良好な建て付け状態を長期間にわたって維持することが可能である。
【００１１】
【発明の実施の形態】
以下に、本発明の実施の形態例を図面に基づいて説明する。図１はパチンコ機の正面図、図２は外枠に対して前面枠を開放した状態を示す斜視図、図３は前面枠の斜視図、図４は支持具の斜視図、図５は支持具の平面図、図６は外枠に対して前面枠を閉じた状態における要部の縦断側面図である。
【００１２】
図１において、パチンコ機ｐは、縦長の矩形状に形成された木製の外枠１の前面の左側部に、金属製の前面枠５をヒンジ金具３により軸支して開閉自在に取り付け、その前面枠５を閉じた状態にて前面枠５の下端面５ｃが外枠１の前面下部に張設された腰板２の上端面２ａの直上に配置されるように構成されている。
【００１３】
上記ヒンジ金具３は、外枠１の左側上端部に固定される支持片３ａと、外枠１の内側の左下隅部に固定される支持片３ｂとからなる。図３に示すように、中央に大きな開口部６が形成された前面枠５の左上端部には、そのヒンジ金具３の支持片３ａに対応する可動片７ａを、前面枠５の左側下端部には、支持片３ｂに対応する可動片７ｂを夫々固定している。そして、可動片７ａに下向きに突設されたヒンジピン８を支持片３ａに穿設される軸孔（図示せず）に、可動片７ｂに穿設された軸孔９を支持片３ｂに上向きに突設されるヒンジピン（図示せず）に夫々遊嵌させることにより、前面枠５が外枠１に対して開閉及び着脱自在に設けられている。なお、このヒンジ構造に関しては、本件出願人にかかる特開２００１−３１４６１９号公報に詳しく開示されている。
【００１４】
図３に示すように、前面枠５の前面側５ａの左下方には、上下方向に適宜間隔を置いて水平に突設された３個の固定片１１ａ〜１１ｃにより縦向きに固定されるヒンジ軸１２を設けている。そのヒンジ軸１２の上端部１２ａは、上方に位置する固定片１１ａから少し突出するように設けられている。１３は前面枠５の可動片７ａの直下方に固定される支持部材、１４はその支持部材１３に下向きに突設されたヒンジピンである。
【００１５】
しかして、前面枠５の前面側５ａには、ヒンジピン１４とヒンジ軸１２の上端部１２ａとによりガラス板保持枠１５を、ヒンジ軸１２の上部に上皿枠１６を、ヒンジ軸１２の下部にパチンコ球の発射ハンドル１８を備えた下皿枠１７とを夫々支持させるように設けられ、それらが開閉自在に取り付けられている。また、前面枠５の後面側５ｂには、図示しない公知の遊技盤、球タンク、入賞球処理装置、景品球払い出し装置やこれらを制御する電子回路装置、電気部品等が集約的に取り付けられる。
【００１６】
図４に示す支持具２０は、前面枠５の開閉動作を円滑に行なうことができるように前記腰板２に取り付けられるものである。その支持具２０の本体２１は、側方から見て伏せコ字形状とされていて、前壁部２１ａと後壁部２１ｂに取付穴２２，２３を夫々穿設している。この本体２１の天壁部２１ｃには、前側から後側に向かって高くなる上り傾斜形状、ここでは約４度の傾斜勾配とされた転動面２４が設けられている。その転動面２４は、その周縁部を少し高く形成されており、前後方向に延びる一対の案内突条２５，２５が当該転動面２４に平行に列設されている。また、天壁部２１ｃの両側の立ち上がり部２１ｄ，２１ｄには、案内溝２６，２６が前記転動面２４と平行になるように夫々設けられている。
【００１７】
２８は横長形状の金属製ローラーである。そのローラー２８は、両端の小径部２８ａ，２８ａを前記案内溝２６，２６に夫々遊嵌されると共に、それら小径部２８ａ寄りに形成された周溝２８ｂ，２８ｂを前記案内突条２５，２５に夫々係合させることにより、前記転動面２４を前後方向に転動自由に設けられている。
【００１８】
かかる構成になる支持具２０は、図６に示すように、本体２１を前記腰板２の上端面２ａに載せた状態にて取付穴２２，２３に通したボルト３０にナット３１を螺合させることにより取り付けられている。３２は腰板２の前面に重ねて取り付けられたプラスチック製の化粧板である。なお、その支持具２０の腰板２に対する取り付け構造については、前壁部２１ａと後壁部２１ｂに図示しない係止片又は係止爪を設けることにより、締着具を用いることなく、簡単に取り付けるようにすることも可能である。
【００１９】
前記前面枠５の下端部には、上記支持具２０に対応する位置に、ほぼＬ字形の金属製滑り片３５を鋲３７によりカシメを施して固定している。この滑り片３５は、前記ローラー２８に対応する底部の接触面３６を前記転動面２４の傾斜勾配に合わせて傾斜形状に設けられている。
【００２０】
しかして、上記構成になるパチンコ機によれば、前面枠５を開閉する際に、滑り片３５が支持具２０のローラー２８に上から接触して移動し、前面枠５の重量の一部がローラー２８を介して当該支持具２０により支承されるため、前面枠５の開閉動作を円滑に行なうことができると共に建て付け状態が良好である。その支持具２０のローラー２８については、本体２１の転動面２４に対して線接触となっていて面圧が小さいことから、転動面２４の摩耗や損傷を生じにくい。
【００２１】
また、前面枠５は閉じられるときに支持具の転動するローラーにより案内されて閉じきられた位置にて少し迫り上げられた状態とされてから、外枠１の右側部内面に設けられる図示しない公知のロック装置により固定を施される。他方、前面枠５は、ロック装置によるロック状態を解除されて開放されるときにローラー２８が下方に転動するので、閉鎖時における迫り上げられた分だけ下がった位置に移行する。
【００２２】
以上に述べた通り、このパチンコ機によれば、前面枠の重量の一部がローラーを用いた支持具により支承される構造とすることにより、前面枠の開閉動作を円滑に行なうことができると共に良好な建て付け状態を長期間にわたって維持することができる利点がある。
【図面の簡単な説明】
【図１】パチンコ機の正面図
【図２】外枠に対して前面枠を開放した状態を示す斜視図
【図３】前面枠の斜視図
【図４】支持具の斜視図
【図５】支持具の平面図
【図６】外枠に対して前面枠を閉じた状態における要部の縦断側面図
【符号の説明】
ｐ・・・パチンコ機
１・・・外枠
２・・・腰板
２ａ・・・上端面
５・・・前面枠
５ａ・・・前面側  ５ｂ・・・後面側
５ｃ・・・下端面
１５・・・ガラス板保持枠
１６・・・上皿枠
１７・・・下皿枠
２０・・・支持具
２４・・・転動面
２８・・・ローラー
３５・・・滑り片
３６・・・接触面
【図１】
2004305630.tif 000003
【図２】
2004305630.tif 000004
【図３】
2004305630.tif 000005
【図４】
2004305630.tif 000006
【図５】
2004305630.tif 000007
【図６】
2004305630.tif 000008